(57)【要約】【課題】  椅子(2)の背もたれ部(20)の前面を被覆する前カバー部(15)と後面を被覆する後カバー部(14)とからなる椅子カバーに関し、椅子カバーに、被収納物を収納できるポケット部(10)を安定状態に設けること。  【解決手段】  後カバー部(14)の下方に、延長部(1)が一体的に延長形成され、延長部(1)の背面に、小物等の被収納物を取り出し自在に収納可能なポケット部(10)を設けたこと。【選択図】  図１
0003104290.tif 000002
【実用新案登録請求の範囲】
【請求項１】
椅子の背もたれ部の前面を被覆する前カバー部と後面を被覆する後カバー部とからなる椅子カバーにおいて、
前記後カバー部の下方に延長部を一体的に延長形成すると共に、前記延長部の背面に、小物等の被収納物を取り出し自在に収納可能なポケット部を設けたことを特徴とする椅子カバー。
【請求項２】
請求項１に記載の椅子カバーにおいて、前記前カバー部と後カバー部とは前記背もたれ部全体を上方から覆う袋状に構成されており、前記延長部は、前記袋状部の下方開放端よりもさらに下方に延長形成されていることを特徴とする椅子カバー。
【請求項３】
請求項１又は２に記載の椅子カバーにおいて、前記ポケット部は、透明樹脂シート製又はメッシュ生地製であることを特徴とする椅子カバー。
【請求項４】
請求項１から３のいずれかに記載の椅子カバーにおいて、前記延長部は前記後カバー部と同じ幅に形成されており、前記ポケット部は上方に開放するように設けられていると共に、前記延長部と同じ幅の第１ポケット部と、前記第１ポケット部のさらに背面に重ねて設けられている第２ポケット部とから二重に構成されており、
前記第２ポケット部は、前記第１ポケット部よりも浅く且つ左右に分割された状態に形成されていることを特徴とする椅子カバー。
【請求項５】
請求項１から４のいずれかに記載の椅子カバーにおいて、前記前カバー部、前記後カバー部、及び、前記延長部は、全体に発泡ウレタン樹脂シートで構成されていることを特徴とする椅子カバー。
【請求項６】
請求項１から４のいずれかに記載の椅子カバーにおいて、前記前カバー部、前記後カバー部、及び、前記延長部は、全体にメッシュ生地で構成されていることを特徴とする椅子カバー。
【考案の詳細な説明】
【技術分野】
【０００１】
本考案は、椅子カバー、特に、背もたれ部を被覆する椅子カバーに関するものである。
【背景技術】
【０００２】
パチンコ店等の遊戯場に備えられている椅子(2)に装着させる椅子カバー(3)として、図４に示すものがある。このものは、前記椅子(2)の背もたれ部(20)の前面を覆う前カバー部(32)と後面を覆う後カバー部(31)とを、前記背もたれ部(20)に上方から被せる袋状に構成したものであり、後カバー部(31)の背面は、装飾用又は店の宣伝広告用のＰＯＰスペース(30)として機能させている。
又、店内に数多く並んでいる遊戯台のうち特定の台を目立たせるために、所定の遊戯台の上端にプレートやのぼり等の装飾体(5)を掲揚させることがある。これら装飾体(5)は、必要に応じて、所定の遊戯台に即座に掲揚できるようにするために、店内の所定箇所にまとめて置いておくのではなく、各遊戯台に所定枚数ずつ具備させておくことが望ましい。
【０００３】
このために、前記図４に示すように、ウエストポーチの如く、収納袋(4)を各椅子(2)に装着させて、前記収納袋(4)に前記装飾体(5)を収納しておくことがある。
前記収納袋(4)は、椅子(2)の背もたれ部(20)の基端部に着脱自在に巻回可能なベルト部(40)と、前記ベルト部(40)に具備されたポケット部(41)とからなり、前記ベルト部(40)を椅子(2)の所定位置に取り付けることにより、前記ポケット部(41)は、前記椅子(2)の背もたれ部（20）よりも下方にぶら下がった状態で取り付けられることとなる。このポケット部(41)に前記プレートやのぼり等の装飾体(5)が収納される。
こうしておくことにより、必要に応じて、即座に、所定の装飾体(5)を前記ポケット部(41)から取り出して、遊戯台の上方に飾ることができるため、作業性が良く、使い勝手が良い。
【考案の開示】
【考案が解決しようとする課題】
【０００４】
しかしながら、上記したウエストポーチ仕様のものでは、ポケット部(41)は、ベルト部(40)からぶら下がった態様で、椅子(2)に取り付けられているため、背もたれ(20)の下方で揺れて安定せず、邪魔になったり目障りになったりすることがある。
又、ベルト部(41)が背もたれ部(20)と座席部(21)との境界部分に位置するように装着させるが、このベルト部(41)が座席部(21)側にずれてきた場合には、座席部(21)への座り心地が悪くなるといった不都合がある。
【０００５】
そこで、前記収納袋(4)を椅子カバー(3)のＰＯＰスペース(30)に設けることも考えられるが、そうすると、前記ＰＯＰスペース(30)の本来の機能が失われてしまう。
さらに、椅子カバー(3)も装着させる場合では、全ての椅子(2)に、椅子カバー(3)と前記収納袋(4)の両方を装着させなければならず、準備が面倒である。
本考案は、『椅子の背もたれ部の前面を被覆する前カバー部と後面を被覆する後カバー部とからなる椅子カバー』において、椅子カバーに、プレート等の装飾体や私物等の被収納物を収納可能なポケット部を安定した状態で設けることを課題とするものである。
【課題を解決するための手段】
【０００６】
（１）  上記課題を解決する為の請求項１に係る発明の技術的手段は、『前記後カバー部の下方に延長部を一体的に延長形成すると共に、前記延長部の背面に、小物等の被収納物を取り出し自在に収納可能なポケット部を設けたことを特徴とする』ものである。
上記技術的手段は次のように作用する。
前記前カバー部と後カバー部とで椅子の背もたれ部はカバーされており、後カバー部の下端を更に下方へ延長させて、延長部が形成されており、この延長部にポケット部が設けられている。これにより、前記ポケット部は、前記後カバー部の下方に位置する態様となり、例えば、パチンコ店等の遊技場の椅子に装着させる椅子カバーの場合、前記後カバー部の背面に設けられる宣伝広告用のＰＯＰスペースとは別に、その下方にポケット部が連続して設けられる構成となり、前記ポケット部に、装飾用小物や遊戯者の私物等の被収納物を収納しておくことができる。
前記延長部は、前記後カバー部の下端から一体的に延長形成されて、全体に一つの面を構成しているものであるから、前記前カバー部と後カバー部とを背もたれ部に装着させて前記後カバー部の姿勢を安定させた状態では、それから一体的に連続させた延長部の姿勢も安定する。
【０００７】
（２）  請求項１に係る発明において、『前記前カバー部と後カバー部とは前記背もたれ部全体を上方から覆う袋状に構成されており、前記延長部は、前記袋状部の下方開放端よりもさらに下方に延長形成されている』ものでは、袋状に構成されたカバーが背もたれ部の基端部近傍まで覆う態様となっており、前記延長部は、椅子の座席部よりも下方に垂れ下がる態様となる。
（３）  請求項１又は２に記載の椅子カバーにおいて、『前記ポケット部は、透明樹脂シート製又はメッシュ生地製である』ものでは、前記ポケット部に収納された被収納物は、前記透明樹脂シート又はメッシュ生地を通して外部から確認することができる。
【０００８】
（４）  請求項４に係る考案のものは、上記各請求項において、『前記延長部は前記後カバー部と同じ幅に形成されており、
前記ポケット部は上方に開放するように設けられていると共に、前記延長部と同じ幅の第１ポケット部と、前記第１ポケット部のさらに背面に重ねて設けられている第２ポケット部とから二重に構成されており、
前記第２ポケット部は、前記第１ポケット部よりも浅く且つ左右に分割された状態に形成されていること』もので、前記後カバー部の幅を維持したまま前記延長部が延長形成されており、その背面には、上方に開放し且つ深さの異なる２つのポケット部が前後に重なるように設けられている。そして、その各々に、上方から、被収納物を収納することができる。奥側に位置する第1ポケット部は前記延長部と同じ幅、すなわち、後カバー部と同じ幅に設けられているから、比較的大きな被収納物を収納可能である。そのさらに背面側の第２ポケット部は、浅く且つ左右に分割されていることから、被収納物を上方にはみ出した状態で、又、左右の各ポケットに被収納物を分別して収納することができる。
【０００９】
（５）  請求項５に係る考案のものは、上記各請求項に記載の椅子カバーにおいて、『前記前カバー部、前記後カバー部、及び、前記延長部は、全体に発泡ウレタン樹脂シートで構成されている』ものであるから、全体にクッション製がある上に、保温性に富む。
（６）  請求項６に係る考案のものは、上記各請求項に記載の椅子カバーにおいて、『前記前カバー部、前記後カバー部、及び、前記延長部は、全体にメッシュ生地で構成されている』ものであるから、全体に通気性が期待できる。
【考案の効果】
【００１０】
以上のように、請求項１に係る考案によれば、椅子の背もたれ部に、椅子カバーを装着させるときに、店内品や私物等の被収納物の収納部として機能するポケット部も同時に椅子に配設させることができる。このように、椅子カバーとポケット部とを同時に装着できるから、椅子への装着作業が一度の手間で済み、作業性が向上する。又、ポケット部を具備させた延長部は、椅子カバーを椅子の背もたれ部に装着した使用状態においては、後カバー部の下方に一体的に延長することから、安定した姿勢で垂れ下がることとなる。よって、延長部が、不安定に揺れて邪魔になったり目障りになったりすることがない。さらに、パチンコ等の遊技場の椅子に装着させる場合においては、後カバー部の背面には、従来のものと同様に、宣伝広告用のＰＯＰスペースを設けることができる上に、下方のポケット部に、プレートやのぼり等の装飾体を収納しておくことができる。よって、必要に応じて、前記装飾体を前記ポケット部から取り出して、特定の遊戯台にこれら装飾体を即座に取り付けることができるから、装飾体取り付け作業がスムーズに行え、効率の良い遊戯環境を提供することができる。
【００１１】
また、請求項２に係る考案によれば、椅子カバーは背もたれ部全体に深く装着されることとなるため、後カバー部はずれることなく、装着時の姿勢は一層安定する。よって、延長部も前記後カバーの下方にて一層安定するといった効果がある。
また、請求項３に係る考案によれば、遊技場の各椅子に前記ポケット部を有する椅子カバーを装着させ、前記ポケット部に、上記したような装飾体を収納させる構成とした場合、前記装飾体は、遊戯台に飾らなくても、ポケット部を構成している透明樹脂シート又はメッシュ生地を透して外部から見えることとなる。前記装飾体は派手なデザインと色で描かれた奇抜なものが多く、装飾性及び宣伝性が高いことから、これらが、全ての椅子に設けられていることにより、遊技場全体の雰囲気が全体的に華やかで且つ賑やかなイメージとなり、遊戯者の気分を高揚させ、期待感を盛り上げる装飾として機能させることができる。
【００１２】
また、請求項４に係る考案によれば、ポケット部は、第１ポケット部と第２ポケット部に、さらに、第２ポケット部は左右のポケット部に分割されているから、被収納物の形や種類に応じて各ポケット部に分別して収納しておくことができる。又、各ポケット部は、上方に開放する構成としてあるから、各ポケット部から上方へはみ出すように、被収納物を差し込んで収納することもできる。
請求項５に係る考案のものは、保温性があることから冬用のカバーとして、請求項６に係る考案のものでは、通気性を有することか夏用の椅子カバーとして利用することができる。
【考案を実施するための最良の形態】
【００１３】
以下に、本考案を実施するための最良の形態について添付図面を参照しながら説明する。
本考案の椅子カバーは、図３に示すように、パチンコ店の椅子(2)に装着させるためのものであり、椅子(2)の背もたれ部(20)全体を被覆するように上方から被せる袋状のカバー部(13)と、その下方に連続させた延長部(1)とから構成されている。
前記カバー部(13)は、図１に示すように、前記背もたれ部(20)の前面全域を被覆する前カバー部(15)と、後面全域を被覆する後カバー部(14)とが袋状に縫い付けられて構成されているもので、カバー部(13)を前記背もたれ部(20)に装着させると、前記背もたれ部(20)全体がその基端部まで包囲される態様に装着されることとなる。
【００１４】
この装着状態にて、前記後カバー部(14)を、前記カバー部(13)の下方開放端よりもさらに下方に延長させて前記延長部(1)としている。よって、前記延長部(1)は、椅子(2)の背もたれ部(20)の基端部よりも下方、すなわち、座席部(21)よりも下方に垂れ下がる態様で装着されることとなる。
尚、前記後カバー部(14)と延長部(1)とは1枚の発泡ウレタン樹脂シートからなり、前記シートの一端寄りに、同じく発泡ウレタン樹脂シート製の前カバー部(15)が縫い付けられることにより、袋状のカバー部(13)の一面に延長部(1)が延長する構成となる。  
上記したように、前記延長部(1)は、後カバー部(14)と共に一枚の発泡ウレタン樹脂シートから構成されていることから、後カバー部(14)と前記前カバー部(15)とからなるカバー部(13)を椅子(2)の背もたれ部(20)に深く装着させた使用状態においては、延長部(1)は、後カバー部(14)の下方に安定した姿勢で位置し、不用意に揺れて邪魔になることはない。
【００１５】
前記後カバー部(14)の背面には、図２に示すように、装飾用又は店の宣伝広告用のＰＯＰスペース(30)が設けられている。前記ＰＯＰスペース(30)としては、透明ポケットを後カバー部(14)に設けて、前記ポケットに装飾用又は広告用の印刷物を収納する構成としても、又、前記印刷物を後カバー部(14)に直接縫い付ける構成としても良い。
そして、この後カバー部(14)の下方に設けられている前記延長部(1)の背面には、店内の小物や遊戯者の私物等の被収納物を収納可能なポケット部(10)が設けられている。
【００１６】
前記ポケット部(10)は、透明樹脂シートから構成され且つ延長部(1)と同じ幅の第１ポケット部(11)と、メッシュ生地からなり且つ前記第１ポケット部(11)と同じ幅であるがそれよりも浅く形成された第２ポケット部(12)とから構成されており、これら第１、第２ポケット部(11)(12)は、重ねて前記延長部(1)の周縁に縫い付けられているものとする。
前記第２ポケット(12)は、中央よりもやや一側寄りの所定箇所で縦に縫い付けられていることにより、図２に示すように、左側寄りの小ポケット部(12a)と右寄りの大ポケット部(12b)とに分割されている。
【００１７】
本考案のものでは、主に第２ポケット部(12)は、図２に示すように、遊戯台(50)を目立たせるために上方に飾るプレートやのぼり等の装飾体(5)を収納するためのものとし、第１ポケット部(11)には、新聞や雑誌等の遊戯者の私物(51)を収納しておくものとする。
前記装飾体(5)は、図３に示すように、全て又は特定の遊戯台(50)を目立たせるために、所定の遊戯台(50)の上方に掲揚させるプレートやのぼり等であり、様々な形のものがある。そこで、前記小ポケット部(12a)には、細長いタイプの装飾体(5)を、大ポケット部(12b)には比較的幅広の装飾体(5)を差込状態に収納しておけば良い。
【００１８】
又、前記装飾体(5)は、上記したように、プレートタイプのもの、のぼりタイプのもの等様々な種類があり、そのどれもが奇抜な図柄やデザインがカラフルに施されている。これら装飾体(5)は、メッシュ生地の前記第２ポケット(12)に、上方にはみ出す態様で差込まれて収納されていることから、前記装飾体(5)は、収納時においても、外から十分に目立つ態様となっている。この前記第２ポケット(12)が設けられている延長部(1)の上方の後カバー部(14)には、同様に鮮やかな図柄のＰＯＰスペース(30)が設けられていることから、前記第２ポケット(12)に各種装飾体(5)を差込状態に収納させた状態においては、本考案の椅子カバーの背面全域が、人目を引く派手な仕上がりとなる。よって、これを遊技場の全ての椅子(2)に装着させることにより、遊技場全体の雰囲気を向上させることができ、又、必要に応じて、前記第２ポケット(12)から所定の装飾体(5)を引き抜いて即座に特定の遊戯台(50)の上方に所定の装飾体(5)を掲揚させることができるので、遊戯者の高揚した気分をそのままに、装飾体(5)を飾って遊技場の雰囲気をさらに盛り上げることができる。
【００１９】
尚、ポケット部(10)のうち、第１ポケット部(11)には、新聞や雑誌等の遊戯者の私物(51)を収納しておくと述べたが、もちろん、前記第１ポケット部(11)に装飾体(5)を収納してもよく、この場合、前記第１ポケット部(11)は、透明樹脂シートから構成されていることから、第１ポケット部(11)に収納されている装飾体(5)も前記透明樹脂シートを透して外部から見えることにより、収納時でも装飾機能が発揮することとなる。
又、上記実施の形態では、椅子カバー全体を発泡ウレタン樹脂シートにより構成してあるため、クッション性及び保温性に富み、冬用の椅子カバーとして利用可能である。又、全体に、メッシュ生地で構成してもよく、この場合、通気性が期待できるので夏用の椅子カバーとして利用できる。
【図面の簡単な説明】
【００２０】
【図１】本考案の椅子カバーの使用状態を示す側面図。
【図２】本考案の椅子カバーの背面図。
【図３】本考案の椅子カバーを遊技場の椅子に使用した場合を示す参考図。
【図４】従来の椅子カバーの説明図。
【符号の説明】
【００２１】
(1) ・・・・延長部
(10)・・・・ポケット部
(14)・・・・後カバー部
(15)・・・・前カバー部  
(2) ・・・・椅子
(20)・・・・背もたれ部  
【図１】
0003104290.tif 000003
【図２】
0003104290.tif 000004
【図３】
0003104290.tif 000005
【図４】
0003104290.tif 000006